(57)【要約】【課題】特にプラスイオンおよびマイナスイオン両方に対する対策を行い、液晶層中のイオンによる表示品位の低下を防止可能な表示装置を提供する。【解決手段】表示装置１は、表示領域ＤＡと、表示領域ＤＡの外側の周辺領域ＳＡと、周辺領域ＳＡと重畳する遮光層と、周辺領域ＳＡに設けられた電圧供給配線４と、周辺領域ＳＡに設けられ、電圧供給配線４に接続された第１電極Ｅ１および第２電極Ｅ２と、を備える。周辺領域ＳＡは、第１領域Ａ１、第２領域Ａ２、第３領域Ａ３および第４領域Ａ４を含む。第１電極Ｅ１は、第１〜第４領域Ａ１〜Ａ４のうちの何れかの領域に設けられる。第２電極Ｅ２は、第１〜第４領域Ａ１〜Ａ４のうちの第１電極Ｅ１が形成された領域とは異なる領域に設けられる。そして、第１電極Ｅ１に供給される第１電圧Ｖ１の極性と、第２電極Ｅ２に供給される第２電圧Ｖ２の極性とが異なる。【選択図】図３
2018105987.tif 000002
【特許請求の範囲】
【請求項１】
第１基板と、前記第１基板に対向する第２基板と、前記第１基板と前記第２基板との間にある液晶層と、を備える表示装置であって、
表示領域と、
前記表示領域の外側の周辺領域と、
前記周辺領域と重畳する遮光層と、
前記周辺領域に設けられた電圧供給配線と、
前記周辺領域に設けられ、前記電圧供給配線に接続された第１電極および第２電極と、
を備え、
前記周辺領域は、第１領域、第２領域、第３領域および第４領域を含み、
前記第１電極は、前記第１〜第４領域のうちの何れかの領域に設けられ、
前記第２電極は、前記第１〜第４領域のうちの前記第１電極が形成された領域とは異なる領域に設けられ、
前記第１電極に供給される第１電圧の極性と、前記第２電極に供給される第２電圧の極性とが異なる、表示装置。
【請求項２】
請求項１に記載の表示装置において、
前記周辺領域は、第５領域および第６領域をさらに含み、
前記第５領域は、前記第１領域と前記第３領域との間の角部の領域であり、
前記第６領域は、前記第２領域と前記第３領域との間の角部の領域であり、
前記第１電極は、前記第１〜第６領域のうちの何れかの領域に設けられ、
前記第２電極は、前記第１〜第６領域のうちの前記第１電極が形成された領域とは異なる領域に設けられ、
前記第１電極に供給される第１電圧の極性と、前記第２電極に供給される第２電圧の極性とが異なる、表示装置。
【請求項３】
第１基板と、前記第１基板に対向する第２基板と、前記第１基板と前記第２基板との間にある液晶層と、を備える表示装置であって、
表示領域と、
前記表示領域の外側の周辺領域と、
前記周辺領域と重畳する遮光層と、
前記周辺領域に設けられた電圧供給配線と、
前記周辺領域に設けられ、前記電圧供給配線に接続された第１電極および第２電極と、
を備え、
前記周辺領域は、第１領域、第２領域、第３領域、第４領域、第５領域および第６領域を含み、
前記第５領域は、前記第１領域と前記第３領域との間の角部の領域であり、
前記第６領域は、前記第２領域と前記第３領域との間の角部の領域であり、
少なくとも前記第１〜第３領域のそれぞれの領域では、前記第１電極および前記第２電極は、それぞれ複数設けられ、
少なくとも前記第５、第６領域のそれぞれの領域では、前記第１電極または前記第２電極の何れかが設けられ、
前記第１電極に供給される第１電圧の極性と、前記第２電極に供給される第２電圧の極性とが異なる、表示装置。
【請求項４】
第１基板と、前記第１基板に対向する第２基板と、前記第１基板と前記第２基板との間にある液晶層と、を備える表示装置であって、
表示領域と、
前記表示領域の外側の周辺領域と、
前記周辺領域と重畳する遮光層と、
前記周辺領域に設けられた電圧供給配線と、
前記周辺領域に設けられ、前記電圧供給配線に接続された第１電極および第２電極と、
を備え、
前記周辺領域は、
前記第１基板側に設けられた第１領域、第２領域、第３領域および第４領域と、
前記第２基板側に設けられた第１領域、第２領域、第３領域および第４領域と、
を含み、
前記第１電極は、前記第１基板側に設けられた前記第１〜第４領域、または、前記第２基板側に設けられた前記第１〜第４領域のうちの一方の領域に設けられ、
前記第２電極は、前記第１基板側に設けられた前記第１〜第４領域、または、前記第２基板側に設けられた前記第１〜第４領域のうちの他方の領域に設けられ、
前記第１電極に供給される第１電圧の極性と、前記第２電極に供給される第２電圧の極性とが異なる、表示装置。
【請求項５】
請求項１〜４のいずれか一項に記載の表示装置において、
複数の走査信号線と、
前記複数の走査信号線と交差する複数の映像信号線と、
前記複数の走査信号線と前記複数の映像信号線とで区画された複数の画素領域と、
を備える、表示装置。
【請求項６】
請求項５に記載の表示装置において、
前記周辺領域に設けられ、前記電圧供給配線が接続された走査ドライバを備え、
前記電圧供給配線は、前記第１電圧が供給される第１電源線と、前記第２電圧が供給される第２電源線と、を含み、
前記走査ドライバは、前記複数の走査信号線に前記第１電圧または前記第２電圧を選択的に供給し、
前記第１電極は前記第１電源線に接続され、前記第２電極は前記第２電源線に接続されている、表示装置。
【請求項７】
請求項１〜４のいずれか一項に記載の表示装置において、
前記第１電極および前記第２電極は、前記電圧供給配線よりも前記液晶層に近い位置に配置されている、表示装置。
【請求項８】
請求項１〜４のいずれか一項に記載の表示装置において、
前記電圧供給配線は、前記第１電圧が供給される第１電源線と、前記第２電圧が供給される第２電源線と、を含み、
前記第１電極は前記第１電源線に接続され、前記第２電極は前記第２電源線に接続され、
前記第１電源線は、平面視において前記第２電源線と前記表示領域との間にあり、
前記第１電極および前記第２電極は、平面視において前記第１電源線と前記表示領域との間にある、表示装置。
【請求項９】
請求項２または３に記載の表示装置において、
前記第１〜第４領域にある前記第１電極および前記第２電極の形状は、前記第５、第６領域にある前記第１電極および前記第２電極の形状と異なる、表示装置。
【発明の詳細な説明】
【技術分野】
【０００１】
本発明は、表示装置に関する。
【背景技術】
【０００２】
表示装置として、スイッチング素子や画素電極が形成されたアレイ基板と、このアレイ基板と対向する対向基板と、アレイ基板と対向基板との間に配置された液晶層とを備える液晶表示装置が普及している。
【先行技術文献】
【特許文献】
【０００３】
【特許文献１】特開２０１６−９０４６号公報
【発明の概要】
【発明が解決しようとする課題】
【０００４】
上述のような液晶表示装置において、液晶層には、不純物に起因したイオンや、アレイ基板と対向基板とを貼り合わせるシール材から溶出するイオンが混入することが知られている。液晶層において、イオンの密度が局所的に高まると、この部分において液晶層に印加される実行電圧が低下し得る。これに応じて、当該部分の輝度が低下し、表示画像において黒ムラなどの影響が現れることがある。
【０００５】
また、発生するイオンには、正負両方の極性があり、一般的にはプラスイオンの発生が多いため、主にプラスイオンの捕集を可能とした液晶表示装置もある。しかしながら、液晶層中には、マイナスイオンも存在しているため、プラスイオンのみを捕集すると、残存したマイナスイオンが一部の正極性の電荷をもつ配線などの周囲に集中し、黒ムラとなってしまうことがあった。
【０００６】
そこで、本発明は、上述のような従来技術の問題点を解決すべくなされたものであり、特にプラスイオンおよびマイナスイオン両方に対する対策を行い、液晶層中のイオンによる表示品位の低下を防止可能な表示装置を提供することを目的とする。
【課題を解決するための手段】
【０００７】
本願において開示される発明のうち、代表的なものの概要を簡単に説明すれば、次のとおりである。
【０００８】
本発明の一態様に係る表示装置は、第１基板と、第１基板に対向する第２基板と、第１基板と第２基板との間にある液晶層と、を備える。表示装置は、表示領域と、表示領域の外側の周辺領域と、周辺領域と重畳する遮光層と、周辺領域に設けられた電圧供給配線と、周辺領域に設けられ、電圧供給配線に接続された第１電極および第２電極と、を備える。周辺領域は、第１領域、第２領域、第３領域および第４領域を含む。第１電極は、第１〜第４領域のうちの何れかの領域に設けられる。第２電極は、第１〜第４領域のうちの第１電極が形成された領域とは異なる領域に設けられる。そして、第１電極に供給される第１電圧の極性と、第２電極に供給される第２電圧の極性とが異なる。
【０００９】
また、他の一態様として、当該表示装置において、周辺領域は、第５領域および第６領域をさらに含んでもよい。第５領域は、第１領域と第３領域との間の角部の領域である。第６領域は、第２領域と第３領域との間の角部の領域である。第１電極は、第１〜第６領域のうちの何れかの領域に設けられる。第２電極は、第１〜第６領域のうちの第１電極が形成された領域とは異なる領域に設けられる。そして、第１電極に供給される第１電圧の極性と、第２電極に供給される第２電圧の極性とが異なる。
【００１０】
本発明の他の一態様に係る表示装置は、第１基板と、第１基板に対向する第２基板と、第１基板と第２基板との間にある液晶層と、を備える。表示装置は、表示領域と、表示領域の外側の周辺領域と、周辺領域と重畳する遮光層と、周辺領域に設けられた電圧供給配線と、周辺領域に設けられ、電圧供給配線に接続された第１電極および第２電極と、を備える。周辺領域は、第１領域、第２領域、第３領域、第４領域、第５領域および第６領域を含む。第５領域は、第１領域と第３領域との間の角部の領域である。第６領域は、第２領域と第３領域との間の角部の領域である。少なくとも第１〜第３領域のそれぞれの領域では、第１電極および第２電極は、それぞれ複数設けられる。少なくとも第５、第６領域のそれぞれの領域では、第１電極または第２電極の何れかが設けられる。そして、第１電極に供給される第１電圧の極性と、第２電極に供給される第２電圧の極性とが異なる。
【００１１】
本発明の他の一態様に係る表示装置は、第１基板と、第１基板に対向する第２基板と、第１基板と第２基板との間にある液晶層と、を備える。表示装置は、表示領域と、表示領域の外側の周辺領域と、周辺領域と重畳する遮光層と、周辺領域に設けられた電圧供給配線と、周辺領域に設けられ、電圧供給配線に接続された第１電極および第２電極と、を備える。周辺領域は、第１基板側に設けられた第１領域、第２領域、第３領域および第４領域と、第２基板側に設けられた第１領域、第２領域、第３領域および第４領域と、を含む。第１電極は、第１基板側に設けられた第１〜第４領域、または、第２基板側に設けられた第１〜第４領域のうちの一方の領域に設けられる。第２電極は、第１基板側に設けられた第１〜第４領域、または、第２基板側に設けられた第１〜第４領域のうちの他方の領域に設けられる。そして、第１電極に供給される第１電圧の極性と、第２電極に供給される第２電圧の極性とが異なる。
【図面の簡単な説明】
【００１２】
【図１】実施の形態１に係る表示装置の構成の一例を示す平面図である。
【図２】実施の形態１に係る表示装置において、第１走査ドライバの構成の一例を概略的に示す図である。
【図３】実施の形態１に係る表示装置において、電極の構成の一例を概略的に示す平面図である。
【図４】実施の形態１に係る表示装置の断面構造（周辺領域の第１領域と表示領域）の一例を概略的に示す断面図である。
【図５】実施の形態１に係る表示装置の断面構造（周辺領域の第３領域と表示領域）の一例を概略的に示す断面図である。
【図６】実施の形態１に係る表示装置において、各電極および各電源線の平面的な配置および形状の一例を概略的に示す平面図である。
【図７】実施の形態１に係る表示装置において、電極の構成の変形例を概略的に示す平面図である。
【図８】実施の形態２に係る表示装置において、電極の構成の一例を概略的に示す平面図である。
【図９】実施の形態２に係る表示装置において、電極の構成の変形例を概略的に示す平面図である。
【図１０】実施の形態３に係る表示装置において、電極の構成の一例を概略的に示す平面図である。
【図１１】実施の形態３に係る表示装置において、各電極および各電源線の配置および形状の一例を概略的に示す平面図である。
【図１２】（ａ）および（ｂ）は実施の形態４に係る表示装置において、電極の構成の一例を概略的に示す平面図である。
【図１３】実施の形態４に係る表示装置の断面構造の一例を概略的に示す断面図である。
【発明を実施するための形態】
【００１３】
以下に、本発明の実施の形態について、図面を参照しつつ説明する。
【００１４】
なお、開示はあくまで一例にすぎず、当業者において、発明の主旨を保っての適宜変更について容易に想到し得るものについては、当然に本発明の範囲に含有されるものである。また、図面は、説明をより明確にするため、実際の態様に比べ、各部の幅、厚さ、形状等について模式的に表される場合があるが、あくまで一例であって、本発明の解釈を限定するものではない。
【００１５】
また各図において、連続して配置される同一または類似の要素については符号を省略することがある。また本明細書と各図において、既出の図に関して前述したものと同様または類似の要素には、同一の符号を付して、詳細な説明を適宜省略することがある。
【００１６】
さらに、実施の形態で用いる図面においては、断面図であっても図面を見やすくするためにハッチングを省略する場合もある。また、平面図であっても図面を見やすくするためにハッチングを付す場合もある。
【００１７】
（実施の形態１）
本実施の形態１においては、表示装置の一例として、液晶表示装置を開示する。ただし、本実施の形態１は、他種の表示装置に対する、本実施の形態１にて開示される個々の技術的思想の適用を妨げるものではない。
【００１８】
本実施の形態１に係る表示装置について、図１〜図７を用いて説明する。
【００１９】
＜表示装置の構成＞
図１は、本実施の形態１に係る表示装置１の構成の一例を示す平面図である。表示装置１は、第１基板ＳＵＢ１（アレイ基板）と、第１基板ＳＵＢ１に対向する第２基板ＳＵＢ２（対向基板）とを備えている。各基板ＳＵＢ１、ＳＵＢ２は、シール材ＳＬによって貼り合わされている。各基板ＳＵＢ１、ＳＵＢ２の間には、シール材ＳＬによって囲われた空間に液晶層ＬＣが封入されている。
【００２０】
表示装置１は、表示領域ＤＡと、表示領域ＤＡの外側の周辺領域ＳＡとを有している。第１基板ＳＵＢ１は、第２基板ＳＵＢ２と対向しない出力領域ＴＡを有している。出力領域ＴＡにはドライバＩＣ（Integrated Circuit）２が実装されている。周辺領域ＳＡは、第２基板ＳＵＢ２に形成された遮光層３と平面視において重畳している。
【００２１】
表示装置１は、第１走査ドライバＧＤ１と、第２走査ドライバＧＤ２と、映像ドライバＳＤとを備えている。各ドライバＧＤ１、ＧＤ２、ＳＤは、いずれも周辺領域ＳＡにおいて、例えば第１基板ＳＵＢ１に設けられている。図１において、第１走査ドライバＧＤ１は表示領域ＤＡの左側にあり、第２走査ドライバＧＤ２は表示領域ＤＡの右側にある。映像ドライバＳＤは、表示領域ＤＡと出力領域ＴＡとの間にある。なお、表示装置１は、走査ドライバを１つのみ備えてもよい。また、映像ドライバＳＤは、表示装置１の外部に設けられ、フレキシブル回路基板を介して表示装置１に接続されてもよい。
【００２２】
表示装置１は、複数の走査信号線Ｇと、各走査信号線Ｇに交差する複数の映像信号線Ｓとを備えている。各走査信号線Ｇは、Ｘ方向に延びるとともに、Ｘ方向に交わるＹ方向に並んでいる。各映像信号線Ｓは、Ｙ方向に延びるとともに、Ｘ方向に並んでいる。Ｘ方向とＹ方向とは、例えば垂直に交わる。例えば、各走査信号線Ｇのうち、図１の上端から奇数番目の走査信号線Ｇは第１走査ドライバＧＤ１に接続され、偶数番目の走査信号線Ｇは第２走査ドライバＧＤ２に接続されている。各映像信号線Ｓは、映像ドライバＳＤに接続されている。各走査ドライバＧＤ１、ＧＤ２は、対応する走査信号線Ｇに走査信号を供給する。映像ドライバＳＤは、各映像信号線Ｓに映像信号を供給する。
【００２３】
表示装置１は、周辺領域ＳＡに設けられた電圧供給配線４を備えている。本実施の形態１において、電圧供給配線４は、第１電源線４１と、第２電源線４２とを含む。図１の例において、各電源線４１、４２は、表示領域ＤＡを囲い、両端がドライバＩＣ２に接続されている。平面視において、第１電源線４１は第２電源線４２と表示領域ＤＡとの間にある。他の例として、第２電源線４２が第１電源線４１と表示領域ＤＡとの間にあってもよい。
【００２４】
本実施の形態１において、ドライバＩＣ２は、第１電源線４１に第１電圧Ｖ１を供給し、第２電源線４２に第１電圧Ｖ１とは異なる第２電圧Ｖ２を供給する。各電圧Ｖ１、Ｖ２を生成する電源回路は、表示装置１に設けられてもよいし、表示装置１の外部に設けられてもよい。
【００２５】
例えば、第１電圧Ｖ１は第１極性の電圧ＶＧＬであり、第２電圧Ｖ２は第１極性とは異なる第２極性の電圧ＶＧＨである。本実施の形態１では、第１極性が負であり、第２極性が正である場合を想定する。各走査ドライバＧＤ１、ＧＤ２は、これらの電圧Ｖ１、Ｖ２を選択的に走査信号線Ｇに供給する。
【００２６】
表示装置１は、各走査信号線Ｇおよび各映像信号線Ｓで区画された多数の画素領域ＰＸを有している。画素領域ＰＸは、赤、緑、青、あるいは白などの特定の色を表示する副画素に相当する領域である。異なる色に対応する複数の副画素により、カラー表示が可能な１つの画素が構成される。
【００２７】
各画素領域ＰＸは、走査信号線Ｇおよび映像信号線Ｓに接続されたスイッチング素子ＳＷと、スイッチング素子ＳＷに接続された画素電極ＰＥとを備えている。第１電圧Ｖ１はスイッチング素子ＳＷのオフ電圧であり、第２電圧Ｖ２はスイッチング素子ＳＷのオン電圧である。すなわち、あるスイッチング素子ＳＷに対応する走査信号線Ｇに第２電圧Ｖ２が供給された際に、このスイッチング素子ＳＷがオンされる。このとき、当該スイッチング素子ＳＷに対応する映像信号線Ｓと画素電極ＰＥとが電気的に接続され、当該映像信号線Ｓの映像信号が当該画素電極ＰＥに供給される。映像信号が供給された画素電極ＰＥは、複数の画素領域ＰＸに亘って設けられた共通電極ＣＥとの間で、液晶層ＬＣに作用する電界を形成する。
【００２８】
＜走査ドライバの構成＞
図２は、本実施の形態１に係る表示装置１において、第１走査ドライバＧＤ１の構成の一例を概略的に示す図である。第２走査ドライバＧＤ２も、ここで説明する第１走査ドライバＧＤ１と同様の構成を採用することができる。
【００２９】
第１走査ドライバＧＤ１は、シフトレジスタ回路ＳＲと、複数のゲートスイッチ回路ＧＳＷとを備えている。各ゲートスイッチ回路ＧＳＷには、それぞれ走査信号線Ｇが接続されている。図２の例において、第１電源線４１および第２電源線４２は、シフトレジスタ回路ＳＲとゲートスイッチ回路ＧＳＷとの間に延在している。
【００３０】
シフトレジスタ回路ＳＲは、各ゲートスイッチ回路ＧＳＷに対して、シフトパルスを順次出力する。シフトパルスが入力されていないとき、ゲートスイッチ回路ＧＳＷは、第１電源線４１に供給される第１電圧Ｖ１を、対応する走査信号線Ｇに出力する。一方、シフトパルスが入力されているとき、ゲートスイッチ回路ＧＳＷは、第２電源線４２に供給される第２電圧Ｖ２を、対応する走査信号線Ｇに出力する。
【００３１】
以上のような構成の表示装置１において、液晶層ＬＣには、液晶層ＬＣに含まれる不純物に起因したイオンや、シール材ＳＬから溶出するイオンが混入し得る。このようなイオンは、表示装置１の駆動に伴い、シール材ＳＬで囲われた領域の角部に密集し易いことが知られている。密集したイオンの影響が表示領域ＤＡに及ぶと、液晶層ＬＣの実行電圧が低下し、表示領域ＤＡに表示される画像に黒ムラなどの影響が現れることがある。
【００３２】
本実施の形態１に係る表示装置１は、液晶層ＬＣ中のイオンに起因した表示品位の低下を抑制するための構成を備えている。以下、当該構成の一例について説明する。
【００３３】
＜電極の構成＞
図３は、本実施の形態１に係る表示装置１において、電極の構成の一例を概略的に示す平面図である。ここでは、図１に示した要素の一部を省略している。表示領域ＤＡは、第１辺ＤＳ１と、第１辺ＤＳ１の反対側の第２辺ＤＳ２と、第３辺ＤＳ３と、第３辺ＤＳ３の反対側の第４辺ＤＳ４とを有している。第４辺ＤＳ４は、出力領域ＴＡ側の辺である。
【００３４】
周辺領域ＳＡは、第１辺ＤＳ１とシール材ＳＬとの間の第１領域Ａ１と、第２辺ＤＳ２とシール材ＳＬとの間の第２領域Ａ２と、第３辺ＤＳ３とシール材ＳＬとの間の第３領域Ａ３と、第４辺ＤＳ４とシール材ＳＬとの間の第４領域Ａ４とを有している。各領域Ａ１、Ａ２、Ａ４は、図１に示した第１走査ドライバＧＤ１、第２走査ドライバＧＤ２、映像ドライバＳＤがそれぞれ設けられる領域である。第１領域Ａ１と第２領域Ａ２とは、表示領域ＤＡを挟んでいる。第３領域Ａ３と第４領域Ａ４とは、第１領域Ａ１および第２領域Ａ２が配列している方向（Ｘ方向）とは異なる方向（Ｙ方向）に配列し、表示領域ＤＡを挟んでいる。
【００３５】
表示装置１は、第１電極Ｅ１と、第２電極Ｅ２とを備えている。第１電極Ｅ１は、周辺領域ＳＡの第１領域Ａ１、第２領域Ａ２、第３領域Ａ３および第４領域Ａ４のうちの何れかの領域、ここでは第１グループの領域に設けられている。第２電極Ｅ２は、周辺領域ＳＡの第１領域Ａ１、第２領域Ａ２、第３領域Ａ３および第４領域Ａ４のうちの第１電極Ｅ１が形成された領域とは異なる領域、ここでは第１グループとは異なる第２グループの領域に設けられている。図３の例において、第１電極Ｅ１は第１グループとなる第３領域Ａ３に設けられ、第２電極Ｅ２は第２グループとなる第１領域Ａ１および第２領域Ａ２に設けられている。第４領域Ａ４は、映像ドライバＳＤを含む種々の配線および回路が設けられているため、スペースが少ない。そこで、図３の例では第４領域Ａ４に第１電極Ｅ１および第２電極Ｅ２が設けられていない。
【００３６】
周辺領域ＳＡに設けられた電圧供給配線４（各電源線４１、４２）は、表示領域ＤＡを囲んでおり、第１領域Ａ１および第２領域Ａ２では映像信号線Ｓの延在方向（Ｙ方向）と一致し、第３領域Ａ３では走査信号線Ｇの延在方向（Ｘ方向）と一致する。これに伴い、第１領域Ａ１および第２領域Ａ２に設けられる第２電極Ｅ２はＹ方向に延在しており、第３領域Ａ３に設けられる第１電極Ｅ１はＸ方向に延在している。
【００３７】
第１電極Ｅ１は、第１電源線４１に接続されている。第２電極Ｅ２は、第２電源線４２に接続されている。すなわち、第１電極Ｅ１には第１電圧Ｖ１が供給され、第２電極Ｅ２には第２電圧Ｖ２が供給される。本実施の形態１では、第１電圧Ｖ１は負極性の電圧であり、第２電圧Ｖ２は正極性の電圧である。よって、第１電極Ｅ１に供給される第１電圧Ｖ１の極性と、第２電極Ｅ２に供給される第２電圧Ｖ２の極性とが異なる。
【００３８】
液晶層ＬＣ中には、プラスイオン（＋）と、マイナスイオン（−）とが混在している。プラスイオンは、負極性の第１電圧Ｖ１が印加された第１電極Ｅ１に引き寄せられる。マイナスイオンは、正極性の第２電圧Ｖ２が印加された第２電極Ｅ２に引き寄せられる。このように、周辺領域ＳＡに分散して設けられた第１電極Ｅ１および第２電極Ｅ２でプラスイオンおよびマイナスイオンをそれぞれトラップ（拘束）することにより、特定箇所におけるこれらイオンの密集を防ぐことができる。
【００３９】
＜表示装置の断面構造＞
続いて、本実施の形態１に係る表示装置１の断面構造について、図４および図５を用いて説明する。図４および図５は、表示装置１の断面構造の一例を概略的に示す断面図であり、図４は周辺領域ＳＡの第１領域Ａ１と表示領域ＤＡとを示しており、図５は周辺領域ＳＡの第３領域Ａ３と表示領域ＤＡとを示している。周辺領域ＳＡの第２領域Ａ２は、図４を左右反転して図示する以外は図４と同様であるので、図示を省略する。
【００４０】
図４および図５に示すように、第１基板ＳＵＢ１は、第１絶縁基板１０と、第１絶縁層１１と、第２絶縁層１２と、第３絶縁層１３と、第４絶縁層１４と、第５絶縁層１５と、第１配向膜１６とを備えている。さらに、第１基板ＳＵＢ１は、表示領域ＤＡにおいて、走査信号線Ｇ、映像信号線Ｓ、スイッチング素子ＳＷ、画素電極ＰＥ、および共通電極ＣＥを備え、周辺領域ＳＡにおいて、第１電源線４１、第２電源線４２、第１電極Ｅ１、および第２電極Ｅ２を備えている。第１電極Ｅ１は、図５に示すように周辺領域ＳＡの第３領域Ａ３に備えている。第２電極Ｅ２は、図４に示すように周辺領域ＳＡの第１領域Ａ１および第２領域Ａ２に備えている。
【００４１】
第１絶縁基板１０の第２基板ＳＵＢ２側の面にスイッチング素子ＳＷの半導体層ＳＣが形成され、第１絶縁基板１０の当該面と半導体層ＳＣとが第１絶縁層１１で覆われている。第１絶縁層１１の上に走査信号線Ｇが形成されている。第１絶縁層１１および走査信号線Ｇは、第２絶縁層１２で覆われている。第２絶縁層１２の上に、スイッチング素子ＳＷの中継電極ＲＥ、映像信号線Ｓ、および各電源線４１、４２が形成されている。映像信号線Ｓおよび中継電極ＲＥは、各絶縁層１１、１２に設けられたコンタクトホールを通じて半導体層ＳＣに接触している。
【００４２】
第２絶縁層１２、中継電極ＲＥ、映像信号線Ｓおよび各電源線４１、４２は、第３絶縁層１３で覆われている。第３絶縁層１３は、有機材料で形成された第４絶縁層１４で覆われている。第４絶縁層１４の上に共通電極ＣＥが形成されている。第４絶縁層１４および共通電極ＣＥは、第５絶縁層１５で覆われている。第５絶縁層１５の上に、画素電極ＰＥ、第１電極Ｅ１、および第２電極Ｅ２が形成されている。画素電極ＰＥは、各絶縁層１３〜１５に設けられたコンタクトホールを通じて中継電極ＲＥに接触している。
【００４３】
第１電極Ｅ１は、周辺領域ＳＡの第３領域Ａ３において、各絶縁層１３〜１５に設けられた第１コンタクトホールＣＨ１を通じて第１電源線４１に接続されている。第２電極Ｅ２は、周辺領域ＳＡの第１領域Ａ１および第２領域Ａ２において、各絶縁層１３〜１５に設けられた第２コンタクトホールＣＨ２を通じて第２電源線４２に接続されている。第５絶縁層１５、画素電極ＰＥ、および各電極Ｅ１、Ｅ２は、第１配向膜１６で覆われている。第１配向膜１６は、液晶層ＬＣと接している。
【００４４】
このように、周辺領域ＳＡの各領域Ａ１〜Ａ３に備えた各電極Ｅ１、Ｅ２は、各電源線４１、４２よりも液晶層ＬＣに近い位置に配置されている。これにより、各電極Ｅ１、Ｅ２の電界が液晶層ＬＣに作用し易くなり、液晶層ＬＣ中のイオンを良好にトラップすることができる。特に図４および図５の例では、各電極Ｅ１、Ｅ２が各絶縁層１１〜１５の中で最も厚い第４絶縁層１４よりも液晶層ＬＣに近い位置にある。したがって、各電極Ｅ１、Ｅ２によりイオンをトラップする能力が一層向上する。
【００４５】
第２基板ＳＵＢ２は、第２絶縁基板２０と、カラーフィルタ層２１と、オーバーコート層２２と、第２配向膜２３と、上述の遮光層３とを備えている。第２絶縁基板２０の第１基板ＳＵＢ１側の面に遮光層３が形成され、第２絶縁基板２０の当該面と遮光層３とがカラーフィルタ層２１で覆われている。カラーフィルタ層２１は、オーバーコート層２２で覆われている。オーバーコート層２２は、第２配向膜２３で覆われている。第２配向膜２３は、液晶層ＬＣに接している。
【００４６】
遮光層３は、周辺領域ＳＡだけでなく、表示領域ＤＡにも設けられている。表示領域ＤＡに設けられた遮光層３は、スイッチング素子ＳＷ、走査信号線Ｇ、および映像信号線Ｓと対向している。一般的に、表示領域ＤＡ内に設けられた遮光層３は、マトリクス状に形成されている。
【００４７】
画素電極ＰＥ、共通電極ＣＥ、および各電極Ｅ１、Ｅ２は、例えばＩＴＯ（Indium Tin Oxide）などの透明導電材料で形成されている。走査信号線Ｇ、映像信号線Ｓ、中継電極ＲＥ、および各電源線４１、４２は、例えば金属材料で形成されている。
【００４８】
図４および図５の例においては、各電源線４１、４２と映像信号線Ｓとが同層に形成されている。しかしながら、各電源線４１、４２は、例えば走査信号線Ｇと同層など、映像信号線Ｓとは異なる層に形成されてもよい。さらに、各電源線４１、４２は、互いに異なる層に形成されてもよい。さらに、各電源線４１、４２は、層を切り替えて形成されてもよい。
【００４９】
図４および図５の例においては、各電極Ｅ１、Ｅ２が画素電極ＰＥと同層に形成され、第１配向膜１６で覆われている。しかしながら、各電極Ｅ１、Ｅ２は、第１配向膜１６で覆われずに、液晶層ＬＣに露出していてもよい。また、各電極Ｅ１、Ｅ２は、共通電極ＣＥと同層など、画素電極ＰＥとは異なる層に形成されてもよい。さらに、各電極Ｅ１、Ｅ２は、互いに異なる層に形成されてもよい。さらに、各電極Ｅ１、Ｅ２は、層を切り替えて形成されてもよい。
【００５０】
各電極Ｅ１、Ｅ２は、金属材料で形成することもできる。例えば、金属材料の各電極Ｅ１、Ｅ２は、第４絶縁層１４の上に形成することができる。このように各電極Ｅ１、Ｅ２を形成するプロセスにおいて、同じ金属材料により共通電極ＣＥの上に映像信号線Ｓと対向する金属配線を形成してもよい。この金属配線を設けることで、共通電極ＣＥの抵抗を下げることができる。
【００５１】
＜電極および電源線の配置＞
続いて、本実施の形態１に係る表示装置１において、各電極Ｅ１、Ｅ２および各電源線４１、４２の平面的な配置および形状について、図６を用いて説明する。図６は、各電極Ｅ１、Ｅ２および各電源線４１、４２の平面的な配置および形状の一例を概略的に示す平面図である。図６は、各領域Ａ１〜Ａ３に配置される各電極Ｅ１、Ｅ２および各電源線４１、４２と、表示領域ＤＡとを示している。
【００５２】
図６の例において、第１電極Ｅ１は、第３領域Ａ３に配置され、第１主部１０１と、第１接続部１０２とを有している。また、第２電極Ｅ２は、第１領域Ａ１および第２領域Ａ２に配置され、第２主部２０１と、第２接続部２０２とを有している。第１主部１０１と第１接続部１０２とは、第１主部１０１の両端部で第１接続部１０２がＬ字型に接続されている。第１主部１０１と第１接続部１０２とは、第１主部１０１の一方の端部のみで第１接続部１０２がＬ字型に接続されてもよい。また、第１主部１０１と第１接続部１０２とは、例えばＴ字型など他の態様で接続されてもよい。同じく、第２主部２０１と第２接続部２０２とは、第２主部２０１の両端部で第２接続部２０２がＬ字型に接続されているが、第２主部２０１の一方の端部のみで第２接続部２０２がＬ字型に接続されたり、Ｔ字型など他の態様で接続されてもよい。
【００５３】
第１主部１０１は、第１電源線４１と表示領域ＤＡとの間に位置し、Ｘ方向に長尺な形状を有している。第１接続部１０２は、第１主部１０１から第１電源線４１と重畳する位置までＹ方向に延び、第１コンタクトホールＣＨ１を通じて第１電源線４１に接続されている。第２主部２０１は、第１電源線４１と表示領域ＤＡとの間に位置し、Ｙ方向に長尺な形状を有している。第２接続部２０２は、第２主部２０１から第２電源線４２と重畳する位置までＸ方向に延び、第２コンタクトホールＣＨ２を通じて第２電源線４２に接続されている。
【００５４】
図６の例においては、第１電源線４１は、平面視において第２電源線４２と表示領域ＤＡとの間に位置する。かつ、各電極Ｅ１、Ｅ２は、平面視において第１電源線４１と表示領域ＤＡとの間に位置する。このように、各電極Ｅ１、Ｅ２が各電源線４１、４２よりも表示領域ＤＡに近い位置にある。この場合、表示領域ＤＡの液晶層ＬＣ中のイオンが、各電源線４１、４２により発生する電界の影響を受けることなく、各電極Ｅ１、Ｅ２に引き寄せられる。したがって、各電極Ｅ１、Ｅ２によるトラップ能力を高めることができる。
【００５５】
図６の例に示した構成の他にも、各電極Ｅ１、Ｅ２は種々の態様に変形できる。例えば、平面視において、第１電極Ｅ１の第１主部１０１および第２電極Ｅ２の第２主部２０１を各電源線４１、４２の間に配置してもよい。また、第１電極Ｅ１を第１電源線４１の直上に配置し、第２電極Ｅ２を第２電源線４２の直上に配置してもよい。これらの例では、第１電極Ｅ１のＹ方向の幅および第２電極Ｅ２のＸ方向の幅を小さくできるので、このような各電極Ｅ１、Ｅ２は配置スペースに余裕がない場合に有利である。
【００５６】
以上説明した本実施の形態１に係る表示装置においては、第１電極Ｅ１が第３領域Ａ３に設けられ、第２電極Ｅ２が第１領域Ａ１および第２領域Ａ２に設けられている。このような構成であれば、液晶層ＬＣ中のプラスイオンを正極性の第２電極Ｅ２に妨害されることなく負極性の第１電極Ｅ１に引き寄せることができる。同じく、液晶層ＬＣ中のマイナスイオンを負極性の第１電極Ｅ１に妨害されることなく正極性の第２電極Ｅ２に引き寄せることができる。
【００５７】
このように、周辺領域ＳＡに配置された各電極Ｅ１、Ｅ２によりプラスイオンおよびマイナスイオンの双方を分散してトラップすることで、これらイオンの密集領域が生じ難くなる。したがって、密集したイオンに起因する黒ムラなどを抑制し、表示品位を高めることができる。
【００５８】
また、本実施の形態１では、各電極Ｅ１、Ｅ２に電圧を供給する電圧供給配線４として、各走査ドライバＧＤ１、ＧＤ２に電圧を供給する第１電源線４１および第２電源線４２を利用している。そのため、各電極Ｅ１、Ｅ２に電圧を供給するための配線を別途設ける必要がない。これにより、周辺領域ＳＡを省スペース化することができる。
【００５９】
＜変形例＞
図７は、本実施の形態１に係る表示装置１において、電極の構成の変形例を概略的に示す平面図である。図７に示す変形例は、周辺領域ＳＡに設けられる第１電極Ｅ１および第２電極Ｅ２の位置が、図３に示した第１電極Ｅ１および第２電極Ｅ２の位置と相違する。ここでは、相違する点を主に説明する。
【００６０】
図７の例において、第１電極Ｅ１は第１グループとなる第１領域Ａ１および第２領域Ａ２に設けられ、第２電極Ｅ２は第２グループとなる第３領域Ａ３に設けられている。第１領域Ａ１および第２領域Ａ２に設けられる第１電極Ｅ１はＹ方向に延在しており、第３領域Ａ３に設けられる第２電極Ｅ２はＸ方向に延在している。
【００６１】
第１電極Ｅ１は、第１電源線４１に接続されている。第２電極Ｅ２は、第２電源線４２に接続されている。すなわち、第１電極Ｅ１には負極性の第１電圧Ｖ１が供給され、第２電極Ｅ２には正極性の第２電圧Ｖ２が供給される。
【００６２】
よって、図７に示す変形例においても、本実施の形態１と同様に、周辺領域ＳＡに配置された各電極Ｅ１、Ｅ２によりプラスイオンおよびマイナスイオンの双方を分散してトラップすることで、これらイオンの密集領域が生じ難くなる。したがって、密集したイオンに起因する黒ムラなどを抑制し、表示品位を高めることができる。
【００６３】
＜他の変形例＞
本実施の形態１に係る表示装置１においては、以下のような変形例を適用してもよい。
【００６４】
前記実施の形態１では、第４領域Ａ４に各電極Ｅ１、Ｅ２が配置されない例を示したが、第４領域Ａ４に第１電極Ｅ１または第２電極Ｅ２を配置してもよい。この場合において、第４領域Ａ４には、例えば、上述した図３の例では第３領域Ａ３と同じ第１電極Ｅ１を配置し、上述した図７の例では第３領域Ａ３と同じ第２電極Ｅ２を配置することが望ましい。
【００６５】
また、各領域Ａ１〜Ａ４において、各電極Ｅ１、Ｅ２の形状や配置態様を異ならせてもよい。この場合において、例えば、第１領域Ａ１または第２領域Ａ２における電極のＸ方向の幅と、第３領域Ａ３または第４領域Ａ４における電極のＹ方向の幅とを異ならせてもよい。
【００６６】
具体例として、各走査ドライバＧＤ１、ＧＤ２が配置されるためにスペースに余裕がない各領域Ａ１、Ａ２に対しては電極のＸ方向の幅を小さくし、スペースに余裕がある第３領域Ａ３に対しては電極のＹ方向の幅を大きくしてもよい。
【００６７】
第４領域Ａ４にも各電極Ｅ１、Ｅ２を配置する場合、この第４領域Ａ４には映像ドライバＳＤが配置されることを考慮して、各領域Ａ１、Ａ２と同じく電極のＹ方向の幅を小さくしてもよい。あるいは、第４領域Ａ４に十分なスペースが確保できるならば、第４領域Ａ４に対して第３領域Ａ３と同じく電極のＹ方向の幅を大きくしてもよい。
【００６８】
その他にも、各領域Ａ１〜Ａ４に配置する各電極Ｅ１、Ｅ２の形状や配置態様は、各領域Ａ１〜Ａ４のスペースや層構造を考慮して、種々の態様を採用することができる。また、１つの領域において、異なる形状および態様で各電極Ｅ１、Ｅ２が配置されてもよい。また、一般的に液晶表示装置はプラスイオンが不純物として出やすいため、第１電極Ｅ１の数を第２電極Ｅ２の数よりも多くしてもよい。
【００６９】
その他、本実施の形態１は種々の態様に変形することができる。例えば、本実施の形態１と、後述する実施の形態２〜４とを組み合わせることができる。この場合に、本実施の形態１の構成の一部を他の実施の形態２〜４の構成に置き換えたり、本実施の形態１の構成に他の実施の形態２〜４の構成を追加したり、または、本実施の形態１の構成の一部を削除することなども可能である。
【００７０】
（実施の形態２）
本実施の形態２に係る表示装置について、図８〜図９を用いて説明する。本実施の形態２においては、上述した実施の形態１と相違する点を主に説明する。
【００７１】
＜電極の構成＞
図８は、本実施の形態２に係る表示装置１において、電極の構成の一例を概略的に示す平面図である。
【００７２】
本実施の形態２に係る表示装置１において、周辺領域ＳＡは、上述した実施の形態１と同様に、第１領域Ａ１、第２領域Ａ２、第３領域Ａ３および第４領域Ａ４を有し、本実施の形態２ではさらに、第５領域Ａ５、第６領域Ａ６、第７領域Ａ７および第８領域Ａ８を有している。第５領域Ａ５は、第１領域Ａ１と第３領域Ａ３との間の角部の領域である。第６領域Ａ６は、第２領域Ａ２と第３領域Ａ３との間の角部の領域である。第７領域Ａ７は、第１領域Ａ１と第４領域Ａ４との間の角部の領域である。第８領域Ａ８は、第２領域Ａ２と第４領域Ａ４との間の角部の領域である。すなわち、図８の例では、周辺領域ＳＡにおいて、第５領域Ａ５は左上角部、第６領域Ａ６は右上角部、第７領域Ａ７は左下角部、第８領域Ａ８は右下角部の各領域である。
【００７３】
本実施の形態２に係る表示装置１において、第１電極Ｅ１は、周辺領域ＳＡの第１〜第８領域Ａ１〜Ａ８のうちの第１グループの領域に設けられている。第２電極Ｅ２は、周辺領域ＳＡの第１〜第８領域Ａ１〜Ａ８のうちの第１グループとは異なる第２グループの領域に設けられている。図８の例において、第１電極Ｅ１は第１グループとなる第１〜第３領域Ａ１〜Ａ３に設けられ、第２電極Ｅ２は第２グループとなる第５領域Ａ５および第６領域Ａ６に設けられている。
【００７４】
第４領域Ａ４、第７領域Ａ７および第８領域Ａ８は、映像ドライバＳＤを含む種々の配線および回路が設けられているため、スペースが少ない。そこで、図８の例では第４領域Ａ４、第７領域Ａ７および第８領域Ａ８に第１電極Ｅ１および第２電極Ｅ２が設けられていない。なお、第４領域Ａ４、第７領域Ａ７および第８領域Ａ８にスペースが確保できるならば、第４領域Ａ４、第７領域Ａ７および第８領域Ａ８にも第１電極Ｅ１または第２電極Ｅ２を配置してもよい。
【００７５】
周辺領域ＳＡに設けられた電圧供給配線４（各電源線４１、４２）は、表示領域ＤＡを囲んでおり、第１領域Ａ１および第２領域Ａ２では映像信号線Ｓの延在方向（Ｙ方向）と一致し、第３領域Ａ３では走査信号線Ｇの延在方向（Ｘ方向）と一致する。また、第５領域Ａ５および第６領域Ａ６では、Ｙ方向およびＸ方向に延在するＬ字型になっている。これに伴い、第１領域Ａ１および第２領域Ａ２に設けられる第１電極Ｅ１はＹ方向に延在し、第３領域Ａ３に設けられる第１電極Ｅ１はＸ方向に延在している。また、第５領域Ａ５および第６領域Ａ６に設けられる第２電極Ｅ２は、Ｙ方向およびＸ方向に延在するＬ字型になっている。すなわち、第１〜第３領域Ａ１〜Ａ３に設けられる第１電極Ｅ１の形状は、第５〜第６領域Ａ５〜Ａ６に設けられる第２電極Ｅ２の形状と異なる。
【００７６】
第１電極Ｅ１は、第１電源線４１に接続されている。第２電極Ｅ２は、第２電源線４２に接続されている。すなわち、第１電極Ｅ１には負極性の第１電圧Ｖ１が供給され、第２電極Ｅ２には正極性の第２電圧Ｖ２が供給される。
【００７７】
よって、本実施の形態２に係る表示装置１においても、上述した実施の形態１と同様に、液晶層ＬＣ中のプラスイオンを負極性の第１電圧Ｖ１が印加された第１電極Ｅ１に引き寄せることができ、同じく、液晶層ＬＣ中のマイナスイオンを正極性の第２電圧Ｖ２が印加された第２電極Ｅ２に引き寄せることができる。このように、周辺領域ＳＡに配置された各電極Ｅ１、Ｅ２によりプラスイオンおよびマイナスイオンの双方を分散してトラップすることで、これらイオンの密集領域が生じ難くなる。したがって、密集したイオンに起因する黒ムラなどを抑制し、表示品位を高めることができる。特に、本実施の形態２においては、周辺領域ＳＡの角部の領域でもイオンをトラップすることで、より一層、トラップ能力を高めて表示品位を向上させることができる。
【００７８】
＜変形例＞
図９は、本実施の形態２に係る表示装置１において、電極の構成の変形例を概略的に示す平面図である。図９に示す変形例は、周辺領域ＳＡに設けられる第１電極Ｅ１および第２電極Ｅ２の位置が、図８に示した第１電極Ｅ１および第２電極Ｅ２の位置と相違する。ここでは、相違する点を主に説明する。
【００７９】
図９の例において、第１電極Ｅ１は第１グループとなる第５領域Ａ５および第６領域Ａ６に設けられ、第２電極Ｅ２は第２グループとなる第１〜第３領域Ａ１〜Ａ３に設けられている。第５領域Ａ５および第６領域Ａ６に設けられる第１電極Ｅ１はＹ方向およびＸ方向に延在するＬ字型になっており、第１領域Ａ１および第２領域Ａ２に設けられる第２電極Ｅ２はＹ方向に延在し、第３領域Ａ３に設けられる第２電極Ｅ２はＸ方向に延在している。
【００８０】
第１電極Ｅ１は、第１電源線４１に接続されている。第２電極Ｅ２は、第２電源線４２に接続されている。すなわち、第１電極Ｅ１には負極性の第１電圧Ｖ１が供給され、第２電極Ｅ２には正極性の第２電圧Ｖ２が供給される。
【００８１】
よって、図９に示す変形例においても、本実施の形態２と同様に、周辺領域ＳＡに配置された各電極Ｅ１、Ｅ２によりプラスイオンおよびマイナスイオンの双方を分散してトラップすることで、これらイオンの密集領域が生じ難くなる。したがって、密集したイオンに起因する黒ムラなどを抑制し、表示品位を高めることができる。
【００８２】
（実施の形態３）
本実施の形態３に係る表示装置について、図１０〜図１１を用いて説明する。本実施の形態３においては、上述した実施の形態１および２と相違する点を主に説明する。
【００８３】
＜電極の構成＞
図１０は、本実施の形態３に係る表示装置１において、電極の構成の一例を概略的に示す平面図である。図１１は、各電極および各電源線の配置および形状の一例を概略的に示す平面図である。
【００８４】
本実施の形態３に係る表示装置１において、周辺領域ＳＡは、上述した実施の形態２と同様に、第１領域Ａ１、第２領域Ａ２、第３領域Ａ３、第４領域Ａ４、第５領域Ａ５、第６領域Ａ６、第７領域Ａ７および第８領域Ａ８を有している。
【００８５】
本実施の形態３に係る表示装置１において、第１電極Ｅ１および第２電極Ｅ２は、それぞれ複数からなる。複数のうちの第１数の第１電極Ｅ１および第２電極Ｅ２は、それぞれ、第１〜第８領域のうちの第１グループの領域に設けられている。複数のうちの第１数とは異なる第２数の第１電極または第２電極は、第１〜第８領域のうちの第１グループとは異なる第２グループの領域に設けられている。図１０の例において、第１電極Ｅ１および第２電極Ｅ２は第１グループとなる第１〜第３領域Ａ１〜Ａ３にそれぞれ第１数の複数個が交互に配列して設けられ、第２電極Ｅ２は第２グループとなる第５領域Ａ５および第６領域Ａ６にそれぞれ第２数の１個が設けられている。なお、第５領域Ａ５および第６領域Ａ６には、第２電極Ｅ２に限らず、第１電極Ｅ１が設けられてもよい。すなわち、第１〜第３領域Ａ１〜Ａ３のそれぞれの領域では、第１電極Ｅ１および第２電極Ｅ２はそれぞれ複数設けられ、第５領域Ａ５および第６領域Ａ６のそれぞれの領域では、第１電極Ｅ１または第２電極Ｅ２の何れかが設けられている。
【００８６】
第４領域Ａ４、第７領域Ａ７および第８領域Ａ８は、映像ドライバＳＤを含む種々の配線および回路が設けられているため、スペースが少ない。そこで、図１０の例では第４領域Ａ４、第７領域Ａ７および第８領域Ａ８に第１電極Ｅ１および第２電極Ｅ２が設けられていない。なお、第４領域Ａ４、第７領域Ａ７および第８領域Ａ８にスペースが確保できるならば、第４領域Ａ４にも第１電極Ｅ１および第２電極Ｅ２を交互に配列して設け、第７領域Ａ７および第８領域Ａ８にも第１電極Ｅ１または第２電極Ｅ２を設けてもよい。
【００８７】
周辺領域ＳＡに設けられた電圧供給配線４（各電源線４１、４２）は、表示領域ＤＡを囲んでおり、第１領域Ａ１および第２領域Ａ２では映像信号線Ｓの延在方向（Ｙ方向）と一致し、第３領域Ａ３では走査信号線Ｇの延在方向（Ｘ方向）と一致する。また、第５領域Ａ５および第６領域Ａ６では、Ｙ方向およびＸ方向に延在するＬ字型になっている。これに伴い、第１領域Ａ１および第２領域Ａ２に設けられる、複数の第１電極Ｅ１および第２電極Ｅ２はＹ方向に延在してＹ方向に交互に配列し、第３領域Ａ３に設けられる、複数の第１電極Ｅ１および第２電極Ｅ２はＸ方向に延在してＸ方向に交互に配列している。また、第５領域Ａ５および第６領域Ａ６に設けられる第２電極Ｅ２は、Ｙ方向およびＸ方向に延在するＬ字型になっている。すなわち、第１〜第３領域Ａ１〜Ａ３に設けられる第１電極Ｅ１および第２電極Ｅ２の形状は、第５〜第６領域Ａ５〜Ａ６に設けられる第２電極Ｅ２の形状と異なる。
【００８８】
複数の第１電極Ｅ１は、それぞれ、第１電源線４１に接続されている。複数の第２電極Ｅ２は、それぞれ、第２電源線４２に接続されている。すなわち、複数の第１電極Ｅ１には負極性の第１電圧Ｖ１が供給され、複数の第２電極Ｅ２には正極性の第２電圧Ｖ２が供給される。
【００８９】
図１１の例において、第１電源線４１および第２電源線４２と第１電極Ｅ１および第２電極Ｅ２との接続は、第１電源線４１および第２電源線４２からそれぞれ分岐した第１分岐電源線４１ａおよび第２分岐電源線４２ａを介して接続される。第１分岐電源線４１ａおよび第２分岐電源線４２ａは、第１電源線４１と表示領域ＤＡとの間に位置し、表示領域ＤＡを囲んでいる。第１分岐電源線４１ａは、その両端部で第１コンタクトホールＣＨ１を通じて第１電源線４１に接続されている。第２分岐電源線４２ａは、その両端部で第２コンタクトホールＣＨ２を通じて第２電源線４２に接続されている。
【００９０】
第１〜第３領域Ａ１〜Ａ３に設けられる各電極Ｅ１、Ｅ２、および、第５〜第６領域Ａ５〜Ａ６に設けられる各電極Ｅ２は、各分岐電源線４１ａ、４２ａの直上に配置されている。第１〜第３領域Ａ１〜Ａ３に設けられる各電極Ｅ１、Ｅ２は、長方形の形状を有している。第５〜第６領域Ａ５〜Ａ６に設けられる各電極Ｅ２は、表示領域ＤＡ側の角部を切り欠いた略正方形の形状を有している。第１電極Ｅ１は、第１コンタクトホールＣＨ１を通じて第１分岐電源線４１ａに接続され、そして第１電源線４１に接続されている。第２電極Ｅ２は、第２コンタクトホールＣＨ２を通じて第２分岐電源線４２ａに接続され、そして第２電源線４２に接続されている。
【００９１】
図１１の例においては、第１〜第３領域Ａ１〜Ａ３に設けられる各電極Ｅ１、Ｅ２、および、第５〜第６領域Ａ５〜Ａ６に設けられる各電極Ｅ２が各電源線４１、４２よりも表示領域ＤＡに近い位置にある。この場合、表示領域ＤＡの液晶層ＬＣ中のイオンが、各電源線４１、４２により発生する電界の影響を受けることなく、各電極Ｅ１、Ｅ２に引き寄せられる。
【００９２】
よって、本実施の形態３に係る表示装置１においても、上述した実施の形態１および２と同様に、液晶層ＬＣ中のプラスイオンを負極性の第１電圧Ｖ１が印加された第１電極Ｅ１に引き寄せることができ、同じく、液晶層ＬＣ中のマイナスイオンを正極性の第２電圧Ｖ２が印加された第２電極Ｅ２に引き寄せることができる。このように、周辺領域ＳＡに配置された各電極Ｅ１、Ｅ２によりプラスイオンおよびマイナスイオンの双方を分散してトラップすることで、これらイオンの密集領域が生じ難くなる。したがって、密集したイオンに起因する黒ムラなどを抑制し、表示品位を高めることができる。特に、本実施の形態３においては、第１〜第３領域Ａ１〜Ａ３に加え、第５領域Ａ５、第６領域Ａ６にも交互に配列して設けられる電極Ｅ１、Ｅ２の両方でイオンをトラップすることで、より一層、トラップ能力を高めて表示品位を向上させることができる。
【００９３】
（実施の形態４）
本実施の形態４に係る表示装置について、図１２〜図１３を用いて説明する。本実施の形態４においては、上述した実施の形態１〜３と相違する点を主に説明する。
【００９４】
＜電極の構成＞
図１２は、本実施の形態４に係る表示装置１において、電極の構成の一例を概略的に示す平面図である。図１２において、（ａ）は第１基板ＳＵＢ１を示し、（ｂ）は第２基板ＳＵＢ２を示している。図１３は、本実施の形態４に係る表示装置１の断面構造の一例を概略的に示す断面図である。
【００９５】
本実施の形態４に係る表示装置１において、周辺領域ＳＡは、第１基板ＳＵＢ１側に設けられた第１領域Ａ１、第２領域Ａ２、第３領域Ａ３および第４領域Ａ４と、第２基板ＳＵＢ２側に設けられた第１領域Ａ１、第２領域Ａ２、第３領域Ａ３および第４領域Ａ４と、を有している。第１基板ＳＵＢ１側および第２基板ＳＵＢ２側に設けられた第１領域Ａ１と第２領域Ａ２とは、表示領域ＤＡを挟んでいる。第１基板ＳＵＢ１側および第２基板ＳＵＢ２側に設けられた第３領域Ａ３と第４領域Ａ４とは、第１領域Ａ１および第２領域Ａ２が配列している方向（Ｘ方向）とは異なる方向（Ｙ方向）に配列し、表示領域ＤＡを挟んでいる。なお、周辺領域ＳＡは、上述した実施の形態２と同様に、第１〜第４領域Ａ１〜Ａ４に加えて、第５〜第８領域Ａ５〜Ａ８を有してもよい。
【００９６】
本実施の形態４に係る表示装置１において、第１電極Ｅ１は、第１基板ＳＵＢ１側に設けられた第１〜第４領域、または、第２基板ＳＵＢ２側に設けられた第１〜第４領域のうちの一方の領域に設けられている。第２電極Ｅ２は、第１基板ＳＵＢ１側に設けられた第１〜第４領域、または、第２基板ＳＵＢ２側に設けられた第１〜第４領域のうちの他方の領域に設けられている。図１２の例において、第１電極Ｅ１は第１基板ＳＵＢ１側に設けられた第１〜第３領域Ａ１〜Ａ３に設けられ、第２電極Ｅ２は第２基板ＳＵＢ２側に設けられた第１〜第３領域Ａ１〜Ａ３に設けられている。なお、逆に、第１電極Ｅ１は第２基板ＳＵＢ２側に設けられた第１〜第３領域Ａ１〜Ａ３に設け、第２電極Ｅ２は第１基板ＳＵＢ１側に設けられた第１〜第３領域Ａ１〜Ａ３に設けてもよい。
【００９７】
第４領域Ａ４は、映像ドライバＳＤを含む種々の配線および回路が設けられているため、スペースが少ない。そこで、図１２の例では第４領域Ａ４に第１電極Ｅ１および第２電極Ｅ２が設けられていない。なお、第４領域Ａ４にスペースが確保できるならば、第４領域Ａ４にも第１電極Ｅ１または第２電極Ｅ２を配置してもよい。
【００９８】
第１基板ＳＵＢ１および第２基板ＳＵＢ２の周辺領域ＳＡに設けられた電圧供給配線４（各電源線４１、４２）は、表示領域ＤＡを囲んでおり、第１領域Ａ１および第２領域Ａ２では映像信号線Ｓの延在方向（Ｙ方向）と一致し、第３領域Ａ３では走査信号線Ｇの延在方向（Ｘ方向）と一致する。これに伴い、第１基板ＳＵＢ１の第１領域Ａ１および第２領域Ａ２に設けられる第１電極Ｅ１、および、第２基板ＳＵＢ２の第１領域Ａ１および第２領域Ａ２に設けられる第２電極Ｅ２はＹ方向に延在し、第１基板ＳＵＢ１の第３領域Ａ３に設けられる第１電極Ｅ１、および、第２基板ＳＵＢ２の第３領域Ａ３に設けられる第２電極Ｅ２はＸ方向に延在している。
【００９９】
第１基板ＳＵＢ１側に設けられる第１電極Ｅ１は、第１電源線４１に接続されている。第２基板ＳＵＢ２側に設けられる第２電極Ｅ２は、第２電源線４２に接続されている。すなわち、第１電極Ｅ１には負極性の第１電圧Ｖ１が供給され、第２電極Ｅ２には正極性の第２電圧Ｖ２が供給される。
【０１００】
図１３の例において、第１基板ＳＵＢ１の周辺領域ＳＡでは、第５絶縁層１５の上に第１電極Ｅ１が形成されている。第５絶縁層１５および第１電極Ｅ１は、第１配向膜１６で覆われている。第１配向膜１６は、液晶層ＬＣと接している。第２基板ＳＵＢ２の周辺領域ＳＡでは、オーバーコート層２２の上に第２電極Ｅ２が形成されている。オーバーコート層２２および第２電極Ｅ２は、第２配向膜２３で覆われている。第２配向膜２３は、液晶層ＬＣに接している。
【０１０１】
図１３の例においては、第１基板ＳＵＢ１および第２基板ＳＵＢ２の周辺領域ＳＡに備えた各電極Ｅ１、Ｅ２は、各電源線４１、４２よりも液晶層ＬＣに近い位置に配置されている。これにより、各電極Ｅ１、Ｅ２の電界が液晶層ＬＣに作用し易くなり、液晶層ＬＣ中のイオンを良好にトラップすることができる。
【０１０２】
よって、本実施の形態４に係る表示装置１においても、上述した実施の形態１〜３と同様に、液晶層ＬＣ中のプラスイオンを負極性の第１電圧Ｖ１が印加された第１電極Ｅ１に引き寄せることができ、同じく、液晶層ＬＣ中のマイナスイオンを正極性の第２電圧Ｖ２が印加された第２電極Ｅ２に引き寄せることができる。このように、周辺領域ＳＡに配置された各電極Ｅ１、Ｅ２によりプラスイオンおよびマイナスイオンの双方を分散してトラップすることで、これらイオンの密集領域が生じ難くなる。したがって、密集したイオンに起因する黒ムラなどを抑制し、表示品位を高めることができる。特に、本実施の形態４においては、第１基板ＳＵＢ１側に設けられる第１電極Ｅ１、および、第２基板ＳＵＢ２側に設けられる第２電極Ｅ２でイオンをトラップすることで、より一層、トラップ能力を高めて表示品位を向上させることができる。
【０１０３】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【０１０４】
例えば、前記実施の形態においては、開示例として液晶表示装置の場合を例示したが、その他の適用例として、有機ＥＬ（Electro Luminescence）表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることはいうまでもない。
【０１０５】
本発明の思想の範疇において、当業者であれば、各種の変更例および修正例に想到し得るものであり、それら変更例および修正例についても本発明の範囲に属するものと了解される。
【０１０６】
例えば、前記実施の形態に対して、当業者が適宜、構成要素の追加、削除もしくは設計変更を行ったもの、または、工程の追加、省略もしくは条件変更を行ったものも、本発明の要旨を備えている限り、本発明の範囲に含まれる。
【符号の説明】
【０１０７】
１  表示装置
３  遮光層
４  電圧供給配線
４１  第１電源線
４２  第２電源線
Ａ１  第１領域
Ａ２  第２領域
Ａ３  第３領域
Ａ４  第４領域
Ａ５  第５領域
Ａ６  第６領域
Ａ７  第７領域
Ａ８  第８領域
ＤＡ  表示領域
Ｅ１  第１電極
Ｅ２  第２電極
Ｇ  走査信号線
ＧＤ１  第１走査ドライバ
ＧＤ２  第２走査ドライバ
ＬＣ  液晶層
ＰＸ  画素領域
Ｓ  映像信号線
ＳＡ  周辺領域
ＳＤ  映像ドライバ
ＳＬ  シール材
ＳＵＢ１  第１基板
ＳＵＢ２  第２基板
Ｖ１  第１電圧
Ｖ２  第２電圧
【図１】
2018105987.tif 000003
【図２】
2018105987.tif 000004
【図３】
2018105987.tif 000005
【図４】
2018105987.tif 000006
【図５】
2018105987.tif 000007
【図６】
2018105987.tif 000008
【図７】
2018105987.tif 000009
【図８】
2018105987.tif 000010
【図９】
2018105987.tif 000011
【図１０】
2018105987.tif 000012
【図１１】
2018105987.tif 000013
【図１２】
2018105987.tif 000014
【図１３】
2018105987.tif 000015